(57)【特許請求の範囲】
【請求項１】
シャッターボタン操作情報に応じて音声記録の開始と終了を制御する制御部を有し、
前記制御部は、
音声記録の開始および終了要求に対応するそれぞれ独自のシャッターボタン操作情報を識別して、音声記録の開始および終了タイミングを決定し、
前記制御部は、
（ａ）画像撮影開始前の音声記録開始タイミング、
（ｂ）音声記録開始後、規定時間ｔａ以内の自動露出制御（ＡＥ）または自動フォーカス制御（ＡＦ）の開始タイミング、
（ｃ）自動露出制御（ＡＥ）または自動フォーカス制御（ＡＦ）終了後の画像撮影の開始タイミング、
（ｄ）画像撮影終了後の音声記録終了タイミング、
上記（ａ）〜（ｄ）の各処理の実行タイミングを、ユーザ操作に応じて個別に決定する制御を行う撮像装置。
【請求項２】
前記制御部は、
自動露出制御（ＡＥ）または自動フォーカス制御（ＡＦ）の開始制御としてのシャッターボタン操作情報と異なるシャッターボタン操作情報を識別して音声記録の開始および終了タイミングを決定する請求項１に記載の撮像装置。
【請求項３】
前記制御部は、
音声記録の開始または終了要求に対応する独自のシャッターボタン操作情報として、シャッターボタンの半押し解除処理を識別して、音声記録の開始または終了タイミングを決定する請求項１に記載の撮像装置。
【請求項４】
前記制御部は、
音声記録の終了要求に対応する独自のシャッターボタン操作情報として、シャッターボタンの全押し解除処理を識別して、音声記録の終了タイミングを決定する請求項１に記載の撮像装置。
【請求項５】
前記制御部は、
音声記録中に実行されるシャッターボタン半押し状態を識別して、該シャッターボタン半押し状態の継続期間は音声記録を継続する制御を行う請求項１に記載の撮像装置。
【請求項６】
前記制御部は、
音声記録中に実行されるシャッターボタン全押し状態を識別して、該シャッターボタン全押し状態の継続期間は音声記録を継続する制御を行う請求項１に記載の撮像装置。
【請求項７】
前記制御部は、
音声記録中に、音声記録の終了要求に対応する操作がない場合、予め設定した時間の経過に応じて音声記録を終了させる制御を行う請求項１に記載の撮像装置。
【請求項８】
前記制御部は、
音声記録許容時間を表示部に表示する制御を行う請求項１に記載の撮像装置。
【請求項９】
撮像装置において実行する撮像装置制御方法であり、
制御部が、シャッターボタン操作情報に応じて音声記録の開始と終了を制御する音声記録制御ステップを実行し、
前記音声記録制御ステップは、
前記制御部が、音声記録の開始または終了要求に対応するそれぞれ独自のシャッターボタン操作情報を識別して、音声記録の開始または終了タイミングを決定するステップを含み、
前記制御部は、
（ａ）画像撮影開始前の音声記録開始タイミング、
（ｂ）音声記録開始後、規定時間ｔａ以内の自動露出制御（ＡＥ）または自動フォーカス制御（ＡＦ）の開始タイミング、
（ｃ）自動露出制御（ＡＥ）または自動フォーカス制御（ＡＦ）終了後の画像撮影の開始タイミング、
（ｄ）画像撮影終了後の音声記録終了タイミング、
上記（ａ）〜（ｄ）の各処理の実行タイミングを、ユーザ操作に応じて個別に決定する制御を行う撮像装置制御方法。
【請求項１０】
撮像装置において音声記録制御処理を実行させるプログラムであり、
制御部に、シャッターボタン操作情報に応じて音声記録の開始と終了を制御する音声記録制御ステップを実行させ、
前記音声記録制御ステップにおいて、
前記制御部に、音声記録の開始または終了要求に対応するそれぞれ独自のシャッターボタン操作情報を識別して、音声記録の開始および終了タイミングを決定させ、
前記プログラムは、前記制御部に、
（ａ）画像撮影開始前の音声記録開始タイミング、
（ｂ）音声記録開始後、規定時間ｔａ以内の自動露出制御（ＡＥ）または自動フォーカス制御（ＡＦ）の開始タイミング、
（ｃ）自動露出制御（ＡＥ）または自動フォーカス制御（ＡＦ）終了後の画像撮影の開始タイミング、
（ｄ）画像撮影終了後の音声記録終了タイミング、
上記（ａ）〜（ｄ）の各処理の実行タイミングを、ユーザ操作に応じて個別に決定する制御を行わせるプログラム。
【発明の詳細な説明】
【技術分野】
【０００１】
本開示は、撮像装置、および撮像装置制御方法、並びにプログラムに関する。特に、画像に併せて音声記録を行う示を行う撮像装置、および撮像装置制御方法、並びにプログラムに関する。
【背景技術】
【０００２】
昨今、撮像装置（カメラ）の多機能化により画像に併せて音声情報の記録を行う撮像装置が多く利用されている。
例えば、特許文献１（特開２００９−２８４２３４号公報）には、画像撮影用のシャッターボタンの半押しの検出に基づいて音声記録を開始し、シャッターボタンの全押しの検出に応じて画像の撮影を実行し、予め既定した所定時間経過後に音声記録を停止する撮像装置を開示している。
【０００３】
しかしながら、自動露光制御（ＡＥ）や自動フォーカス制御（ＡＦ）処理も、シャッターボタンの半押しの検出に基づいて開始されるのが一般的であり、上記の従来技術の構成では、ＡＥ／ＡＦの制御開始タイミングと音声記録の開始タイミングが常に同じタイミングとなってしまう。
【０００４】
従って、例えばＡＥ／ＡＦ動作より先行して、あるいはその後で音声記録を開始させたい場合など、ユーザの希望する様々なタイミングで音声記録を開始させることができないという問題がある。
また、音声記録の終了タイミングについても、上記の従来技術の構成では、画像撮影後の一定の期間経過後に一律に音声記録が終了してしまい、ユーザが自由に音声記録終了タイミングを設定することができないという問題がある。
【先行技術文献】
【特許文献】
【０００５】
【特許文献１】特開２００９−２８４２３４号公報
【発明の概要】
【発明が解決しようとする課題】
【０００６】
本開示の技術は、例えば上記問題点を解決するものであり、ユーザの希望する任意のタイミングで音声の記録開始や記録終了を制御可能とした撮像装置、および撮像装置制御方法、並びにプログラムを提供することを目的とする。
【課題を解決するための手段】
【０００７】
本開示の第１の側面は、
シャッターボタン操作情報に応じて音声記録の開始と終了を制御する制御部を有し、
前記制御部は、
音声記録の開始および終了要求に対応するそれぞれ独自のシャッターボタン操作情報を識別して、音声記録の開始および終了タイミングを決定する撮像装置にある。
【０００８】
さらに、本開示の撮像装置の一実施態様において、前記制御部は、自動露出制御（ＡＥ）または自動フォーカス制御（ＡＦ）の開始制御としてのシャッターボタン操作情報と異なるシャッターボタン操作情報を識別して音声記録の開始および終了タイミングを決定する。
【０００９】
さらに、本開示の撮像装置の一実施態様において、前記制御部は、音声記録の開始または終了要求に対応する独自のシャッターボタン操作情報として、シャッターボタンの半押し解除処理を識別して、音声記録の開始または終了タイミングを決定する。
【００１０】
さらに、本開示の撮像装置の一実施態様において、記制御部は、音声記録の終了要求に対応する独自のシャッターボタン操作情報として、シャッターボタンの全押し解除処理を識別して、音声記録の終了タイミングを決定する。
【００１１】
さらに、本開示の撮像装置の一実施態様において、前記制御部は、音声記録中に実行されるシャッターボタン半押し状態を識別して、該シャッターボタン半押し状態の継続期間は音声記録を継続する制御を行う。
【００１２】
さらに、本開示の撮像装置の一実施態様において、前記制御部は、音声記録中に実行されるシャッターボタン全押し状態を識別して、該シャッターボタン全押し状態の継続期間は音声記録を継続する制御を行う。
【００１３】
さらに、本開示の撮像装置の一実施態様において、前記制御部は、音声記録中に、音声記録の終了要求に対応する操作がない場合、予め設定した時間の経過に応じて音声記録を終了させる制御を行う。
【００１４】
さらに、本開示の撮像装置の一実施態様において、前記制御部は、音声記録許容時間を表示部に表示する制御を行う。
【００１５】
さらに、本開示の第２の側面は、
撮像装置において実行する撮像装置制御方法であり、
制御部が、シャッターボタン操作情報に応じて音声記録の開始と終了を制御する音声記録制御ステップを実行し、
前記音声記録制御ステップは、
前記制御部が、音声記録の開始または終了要求に対応するそれぞれ独自のシャッターボタン操作情報を識別して、音声記録の開始または終了タイミングを決定するステップを含む撮像装置制御方法にある。
【００１６】
さらに、本開示の第３の側面は、
撮像装置において音声記録制御処理を実行させるプログラムであり、
制御部に、シャッターボタン操作情報に応じて音声記録の開始と終了を制御する音声記録制御ステップを実行させ、
前記音声記録制御ステップにおいて、
前記制御部に、音声記録の開始または終了要求に対応するそれぞれ独自のシャッターボタン操作情報を識別して、音声記録の開始および終了タイミングを決定させるプログラムにある。
【００１７】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。
【００１８】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１９】
本開示の一実施例の構成によれば、音声記録の開始と終了をユーザの希望するタイミングで実行することを可能とした撮像装置および撮像装置制御方法が実現される。
具体的には、ユーザのシャッター操作情報を入力し、入力したシャッター操作情報に応じて音声記録の開始と終了を制御する。音声記録の開始および終了要求に対応する独自のシャッター操作情報を識別して、音声記録の開始および終了タイミングを決定する。例えば自動露出制御（ＡＥ）または自動フォーカス制御（ＡＦ）の開始制御に利用されるシャッター操作情報と異なるシャッターの半押し解除処理や、全押し解除処理を識別して音声記録の開始および終了タイミングの制御を実行する。
【図面の簡単な説明】
【００２０】
【図１】本開示の撮像装置の構成例について説明する図である。
【図２】本開示の撮像装置の実行する処理シーケンスの一例について説明するフローチャートを示す図である。
【図３】本開示の撮像装置の実行する処理シーケンスの一例について説明するタイミングチャートを示す図である。
【図４】本開示の撮像装置の実行する処理シーケンスの一例について説明するフローチャートを示す図である。
【図５】本開示の撮像装置の実行する処理シーケンスの一例について説明するタイミングチャートを示す図である。
【発明を実施するための形態】
【００２１】
以下、図面を参照しながら本開示の撮像装置、および撮像装置制御方法、並びにプログラムの詳細について説明する。なお、説明は以下の項目に従って行う。
１．本開示の撮像装置の構成例について
２．第１実施例：撮像装置の実行する音声記録処理例１
３．第２実施例：撮像装置の実行する音声記録処理例２
４．その他の実施例について
５．本開示の構成のまとめ
【００２２】
［１．本開示の撮像装置の構成例について］
まず、本開示の撮像装置（デジタルカメラ）の構成例について、図１を参照して説明する。図１に示すように、撮像装置は、レンズ１０１、レンズ１０１を介して入力する光信号を電気信号に変換するＣＭＯＳやＣＣＤ等によって構成される撮像素子１０２、アナログ電気信号をデジタル信号に変換するＡ／Ｄ変換部１０３、撮像画像データに基づいて画像に対する信号処理を実行するカメラ信号処理部１０４、音声情報を入力するマイク１０５、マイク１０５から出力される音声アナログ信号をデジタル信号に変換するＡ／Ｄ変換部１０６、取得音声データに基づいて音声に対する信号処理を実行する音声信号処理部１０７を有する。
【００２３】
制御部（マイクロプロセッサ）１１１は、画像の撮影記録処理制御、音声の記録処理制御、ＡＥ／ＡＦ制御等を実行する。具体的な処理シーケンスは後段で詳細に説明する。
【００２４】
カメラ信号処理部１０４、音声信号処理部１０７において生成された画像、音声デジタルデータはメモリ１２０に格納される。画像エンコード部１２１、音声エンコード部１２２は、入力された映像信号、音声信号をそれぞれ記録するためのデータに変換するため、符号化処理を行う。画像デコード部１２３、音声デコード部１２４は、例えば撮影データを記録した記録媒体１１２からのデータ読み出し、再生処理を実行する場合に、記録媒体１１２から読み出した画像、音声信号をそれぞれデコード（復号）処理を行う。メモリ１２０は、エンコード、あるいはデコードをするデータを一時的に保持する。
【００２５】
制御部（マイクロプロセッサ）１１１は、上述したように撮像装置において実行される処理を制御する。また、シャッターや、各種のスイッチ、ボタン類などの操作部１０８からユーザの入力情報を受け取る。さらに、記録媒体１１２を適用したデータ記録、再生制御処理や、クロック１３１から日時、時刻情報や、様々な処理からの経過時間情報などを入力する。
【００２６】
操作部１０８は、ユーザが機器を操作する際のボタンやスイッチの類である。具体的にはシャッター（シャッターボタン）、ズーム操作のためのスイッチや、動画撮影のためのキー、静止画撮影のためのシャッターキー、タッチパネルなどが含まれる。操作部１０８を介して入力された情報は制御部１１１に伝えられ、制御部１１１は、ユーザの操作情報に基づく制御を行う。
【００２７】
記録媒体１１２は、例えばフラッシュメモリ等の不揮発性メモリや、ハードディスクなどによって構成され、撮影画像データや音声データを記録する。
【００２８】
表示部１２５は、撮影画像データのモニタ表示、あるいは撮影済みデータであり記録媒体１１２に記録されたデータを画像デコード部１２３においてデコードしたデータの表示制御を行なう。表示部１２５の生成データは、Ｄ／Ａ変換部１２６においてアナログ信号に変換され、ＬＣＤパネル等のディスプレイ１２７に出力される。
【００２９】
音声信号処理部１２８は、音声デコード部１２４によってデコードされた音声信号を入力し、Ｄ／Ａ変換部１２９を介してアナログ信号に変換した後、スピーカ１３０に出力する。
【００３０】
［２．第１実施例：撮像装置の実行する音声記録処理例１］
次に、図２に示すフローチャート、および図３に示すタイミングチャートを参照して本開示の撮像装置の実行する１つの処理例について説明する。
なお、以下に説明する処理シーケンスは、図１に示す撮像装置の制御部１１１の制御の下に実行される。制御部１１１は、例えば記録媒体１１２あるいはメモリ１２０に予め格納されたプログラムに従って処理制御を実行する。
【００３１】
なお、撮像装置の操作部１０８に設けられたシャッター（シャッターボタン）は、以下の３つの状態を取り得るものとする。
（１）半押し状態（Ｓ１オン）、
（２）全押し状態（Ｓ２オン）、
（３）解放状態（Ｓ１オフ、または、Ｓ２オフ）
【００３２】
図２に示すフローに従って、各処理ステップの処理について説明する。
制御部１１１は、ステップＳ１０１において、操作部１０８のシャッター半押し（Ｓ１オン）を検出すると、ステップＳ１０２において、自動露出制御（ＡＥ）、自動フォーカス制御（ＡＦ）を開始する。
【００３３】
次に、ステップＳ１０３において、操作部１０８のシャッター半押しの解放（Ｓ１オフ）を検出すると、ステップＳ１０３の判定はＹｅｓとなり、ステップＳ１０４に進み、音声記録を開始する。
【００３４】
一方、ステップＳ１０３において、操作部１０８のシャッター半押しの解放（Ｓ１オフ）を検出することなく、ユーザがシャッターを全押し（Ｓ２オン）した場合は、ステップＳ１０３の判定はＮｏとなり、ステップＳ１０８に進む。
【００３５】
まず、ステップＳ１０３の判定がＹｅｓとなり、ステップＳ１０４に進んだ場合の処理について説明する。
ステップＳ１０３において、操作部１０８のシャッター半押しの解放（Ｓ１オフ）を検出すると、ステップＳ１０３の判定はＹｅｓとなり、ステップＳ１０４に進み、音声記録を開始する。
すなわち、ユーザによるシャッターの半押し解除処理の実行が音声記録を開始させる制御信号として利用される。具体的にはユーザによって、シャッター半押しのオンオフ動作が音声記録を開始させる制御信号として利用される。
【００３６】
次にステップＳ１０５では、ユーザによるシャッター半押しのオンオフ動作後の経過時間を計測し、経過時間が予め既定した閾値時間（ｔａ）を超えたか否かを判定する。超えた場合（ステップＳ１０５の判定＝Ｙｅｓ）には、ユーザの撮影意思がなくなったものと判定して処理を終了する。
【００３７】
一方、経過時間が予め既定した閾値時間（ｔａ）を超えることなく（ステップＳ１０５の判定＝Ｎｏ）、ステップＳ１０６のシャッター半押し（Ｓ１オン）を検出した場合は、ステップＳ１０７に進み、ＡＥ／ＡＦ処理を再度実行する。
なお、ＡＥ／ＡＦ処理は、ステップＳ１０２においても実行されているが、実際の撮影処理に適用するＡＥ／ＡＦ処理は、このステップＳ１０７のＡＥ／ＡＦ処理となる。
【００３８】
次に、ステップＳ１０８において、シャッターの全押し（Ｓ２オン）を検出すると、ステップＳ１０９において画像撮影を実行する。
なお、先に説明したステップＳ１０３におけるシャッターの半押し（Ｓ１オン）の解放処理（Ｓ１オフ）を検出することなく、シャッターの全押しが検出された場合には、ステップＳ１０３からステップＳ１０８に進み、シャッター全押しと解放（Ｓ２オン／オフ）処理に基づいて、ステップＳ１０９の画像撮影が実行される。
【００３９】
その後、ステップＳ１１０において、制御部は、シャッター全押し解放から時間計測を行い、予め既定した閾値時間（ｔｂ）が経過したかを判定する。
予め既定した閾値時間（ｔｂ）の経過前に、ユーザ操作（シャッターの半押し処理）を検出した場合（ステップＳ１１０の判定＝Ｎｏ）、ステップＳ１１１に進み、シャッターの半押しと解放（Ｓ１オン／オフ）動作を音声記録の停止命令と判断する。
【００４０】
すなわち、ユーザによるシャッターの半押し解除処理の実行が音声記録を終了させる制御信号として利用される。具体的にはユーザによってシャッター半押しのオンオフ動作が行われた場合に、制御部は、音声記録終了の制御信号として認識する。
【００４１】
制御部が、ステップＳ１１１においてシャッターの半押しと解放（Ｓ１オン／オフ）動作を検出すると、ステップＳ１１２において、音声記録を停止し、さらに、撮影画像と取得音声を記録媒体に記録する処理を実行する。なお、記録処理に際してはエンコード処理、所定の記録フォーマットに従ったフォーマット処理等が実行され、記録媒体１１２に格納される。また、ステップＳ１１１におけるシャッターの半押し（Ｓ１オン）動作に伴って、ＡＥ／ＡＦ動作を実行してもよい。
【００４２】
一方、ステップＳ１１０において、ユーザ操作（シャッターの半押し処理）を検出することなく、予め定めた既定時間（ｔｂ）の経過が確認された場合（ステップＳ１１０の判定＝Ｙｅｓ）は、ステップＳ１１１を省略して、ステップＳ１１２に進み、音声記録を停止し、撮影画像と取得音声を記録媒体に記録する処理を実行する。
【００４３】
この図２に示すフローチャートを参照して説明した処理シーケンスから理解されるように、この実施例１においては、音声記録開始と終了を、ＡＥ／ＡＦ処理や静止画撮影処理と独立したシャッター操作によって決定することができる。
【００４４】
すなわち、音声記録の開始と終了は、以下のユーザ操作によって自由に設定することができる。
音声記録の開始は、ステップＳ１０４で行われ、この音声記録開始の条件となる処理（トリガー）は、シャッターの半押し状態の解除処理である。具体的には、
（ａ）ステップＳ１０１のシャッターの半押し実行（Ｓ１オン）
（ｂ）ステップＳ１０３のシャッターの半押し解除（Ｓ１オフ）
これらの一連の処理が実行されることである。
【００４５】
また、音声記録の終了は、ステップＳ１１２で行われ、この音声記録終了の条件となる処理（トリガー）も、シャッターの半押し状態の解除処理である。具体的には、
（ｃ）ステップＳ１１１のシャッターの半押し実行（Ｓ１オン）と解除（Ｓ１オフ）
この処理が実行されることである。
【００４６】
すなわち、シャッターの半押しと解除を連続操作として実行することで、音声記録の開始と終了を自由に設定でき、その他の処理、すなわち画像撮影や、ＡＥ／ＡＦ処理の処理タイミングに依存することなく、音声記録の開始、終了を制御することが可能となる。
【００４７】
本実施例の処理について、さらに理解しやすくするため、本実施例１のタイミングチャートを図３に示す。
図３には、
（ａ）シャッターの状態遷移
（ｂ）静止画撮影タイミング
（ｃ）音声記録タイミング
（ｄ）ＡＥ／ＡＦ実行タイミング
これらのタイミングを時間軸（ｔ）に沿って示している。
【００４８】
なお、図３に示す（ａ）シャッターの状態遷移について、図３では時間ｔ０〜ｔ７まで全て同じ時間間隔でシャッター状態が変化するように示しているが、この時間間隔はユーザの処理によって変化するものである。
【００４９】
各時間ｔ０〜ｔ７のシャッター状態に応じて以下のような制御が実行される。
時間：ｔ０
時間（ｔ０）は初期状態である。
【００５０】
時間：ｔ１
時間（ｔ１）は、ユーザがシャッターを半押しした状態である。この半押し処理をトリガーとしてＡＥ／ＡＦ処理が実行される。
この処理は、図２に示すフローチャートのステップＳ１０１〜Ｓ１０２の処理に対応する。
【００５１】
時間：ｔ２
時間（ｔ２）は、ユーザがシャッターを半押しから解放状態に戻した状態である。この半押しから解放状態への戻し処理をトリガーとして音声記録処理が開始される。
この処理は、図２に示すフローチャートのステップＳ１０３〜Ｓ１０４の処理に対応する。
【００５２】
時間：ｔ３
時間（ｔ３）は、ユーザが解放状態にあるシャッターを、再度、半押しした状態である。この２度目の半押し処理をトリガーとして、再度ＡＥ／ＡＦ処理が実行される。
この処理は、図２に示すフローチャートのステップＳ１０６〜Ｓ１０７の処理に対応する。
【００５３】
時間：ｔ４〜ｔ５
時間（ｔ４〜ｔ５）は、ユーザが半押し状態にあるシャッターを全押しして、さらに解放状態とする処理である。この半押し状態から全押し処理を行うことで画像撮影処理が実行される。
この処理は、図２に示すフローチャートのステップＳ１０８〜Ｓ１０９の処理に対応する。
【００５４】
時間：ｔ６
時間（ｔ６）は、ユーザが解放状態にあるシャッターを、さらに半押しして、その後、解放する処理である。この解放状態から、半押し〜解放処理の実行をトリガーとして音声記録が終了する。
この処理は、図２に示すフローチャートのステップＳ１１１〜Ｓ１１２の処理に対応する。
【００５５】
なお、この図３では、図２に示すステップＳ１０５とステップＳ１１０における閾値時間の経過判定処理を省略して示している。
ステップＳ１０５の処理は、図３における時間ｔ２〜ｔ３の間で実行され、この時間ｔ２〜ｔ３の期間が既定閾値時間ｔａを超えた場合には、タイムアウトとなり、処理を終了する。この終了処理は、図２に示すフローのステップＳ１０５の判定処理でＹｅｓと判定される処理に対応する。
【００５６】
また、図２のフローにおけるステップＳ１１０の処理は、図３における時間ｔ５〜ｔ６の間で実行され、この時間ｔ５〜ｔ６の期間が既定閾値時間ｔｂを超えた場合には、タイムアウトとなり、図３に示す時間ｔ６の半押しと時間ｔ７の解放状態への移行処理が実行されない場合でも音声記録処理を強制終了する。
この音声記録終了処理は、図２に示すフローのステップＳ１１０の判定処理でＹｅｓと判定され、ステップＳ１１２に移行する処理に対応する。
【００５７】
この図３を参照した説明からも理解されるように、
（ｂ）静止画撮影タイミング
（ｃ）音声記録タイミング
（ｄ）ＡＥ／ＡＦ実行タイミング
これらの３つの処理について、制御部は、各処理の実行タイミングを他の処理の実行タイミングに依存することなく制御可能である。
【００５８】
音声記録処理の開始タイミングと、終了タイミングは、いずれもシャッターの半押しと解除を連続操作として実行することで制御可能である。
このように、音声記録処理の開始タイミングと、終了タイミングは、その他の処理、すなわち画像撮影や、ＡＥ／ＡＦ処理の処理タイミングに依存することなく、自由なタイミングに設定でき、ユーザの希望に応じて自由に音声記録を開始させて、終了させることが可能となる。
【００５９】
［３．第２実施例：撮像装置の実行する音声記録処理例２］
次に、図４に示すフローチャート、および図５に示すタイミングチャートを参照して本開示の撮像装置の実行するもう１つの処理例（第２実施例）について説明する。
なお、以下に説明する処理シーケンスは、先に説明した第１実施例と同様、図１に示す撮像装置の制御部１１１の制御の下に実行される。制御部１１１は、例えば記録媒体１１２あるいはメモリ１２０に予め格納されたプログラムに従って処理制御を実行する。
【００６０】
なお、撮像装置の操作部１０８に設けられたシャッターは、先に説明した第１実施例と同様、以下の３つの状態を取り得るものとする。
（１）半押し状態（Ｓ１オン）、
（２）全押し状態（Ｓ２オン）、
（３）解放状態（Ｓ１オフ、または、Ｓ２オフ）
【００６１】
図４に示すフローに従って、各処理ステップの処理について説明する。
制御部１１１は、ステップＳ２０１において、操作部１０８のシャッター半押し（Ｓ１オン）を検出すると、ステップＳ２０２において、自動露出制御（ＡＥ）、自動フォーカス制御（ＡＦ）を開始する。
【００６２】
次に、ステップＳ２０３において、操作部１０８のシャッター半押しの解放（Ｓ１オフ）を検出すると、ステップＳ２０３の判定はＹｅｓとなり、ステップＳ２０４に進み、音声記録を開始する。
【００６３】
一方、ステップＳ２０３において、操作部１０８のシャッター半押しの解放（Ｓ１オフ）を検出することなく、ユーザがシャッターを全押し（Ｓ２オン）した場合は、ステップＳ２０３の判定はＮｏとなり、ステップＳ２０８に進む。
【００６４】
まず、ステップＳ２０３の判定がＹｅｓとなり、ステップＳ２０４に進んだ場合の処理について説明する。
ステップＳ２０３において、操作部１０８のシャッター半押しの解放（Ｓ１オフ）を検出すると、ステップＳ２０３の判定はＹｅｓとなり、ステップＳ２０４に進み、音声記録を開始する。
すなわち、ユーザによるシャッター半押しのオンオフ動作が音声記録を開始させる制御信号として利用される。
【００６５】
次にステップＳ２０５では、ユーザによるシャッター半押しのオンオフ動作後の経過時間を計測し、経過時間が予め既定した閾値時間（ｔａ）を超えたか否かを判定する。超えた場合（ステップＳ２０５の判定＝Ｙｅｓ）には、ユーザの撮影意思がなくなったものと判定して処理を終了する。
【００６６】
一方、経過時間が予め既定した閾値時間（ｔａ）を超えることなく（ステップＳ２０５の判定＝Ｎｏ）、ステップＳ２０６のシャッター半押し（Ｓ１オン）を検出した場合は、ステップＳ２０７に進み、ＡＥ／ＡＦ処理を再度実行する。
なお、ＡＥ／ＡＦ処理は、ステップＳ２０２においても実行されているが、実際の撮影処理に適用するＡＥ／ＡＦ処理は、このステップＳ２０７のＡＥ／ＡＦ処理となる。
【００６７】
次に、ステップＳ２０８において、シャッターの全押し（Ｓ２オン）を検出すると、ステップＳ２０９において画像撮影を実行する。
なお、先に説明したステップＳ２０３におけるシャッターの半押し（Ｓ１オン）の解放処理（Ｓ１オフ）を検出することなく、シャッターの全押しが検出された場合には、ステップＳ２０３からステップＳ２０８に進み、シャッター全押し（Ｓ２オン）処理に基づいて、ステップＳ２０９の画像撮影が実行される。
【００６８】
その後、ステップＳ２１０において、制御部は、シャッター全押しの解放（Ｓ２オフ）を検出し、ステップＳ２１１に進み、音声記録を停止し、さらに、撮影画像と取得音声を記録媒体に記録する処理を実行する。なお、記録処理に際してはエンコード処理、所定の記録フォーマットに従ったフォーマット処理等が実行され、記録媒体１１２に格納される。
【００６９】
この図４に示すフローチャートを参照して説明した処理シーケンスから理解されるように、この実施例２においても、音声記録開始と終了を、ＡＥ／ＡＦ処理や静止画撮影処理と独立したシャッター操作によって決定することができる。
【００７０】
すなわち、音声記録の開始と終了は、以下のユーザ操作によって自由に設定することができる。
音声記録の開始は、ステップＳ２０４で行われ、この音声記録開始の条件となる処理（トリガー）は、
（ａ）ステップＳ２０１のシャッターの半押し実行（Ｓ１オン）
（ｂ）ステップＳ２０３のシャッターの半押し解除（Ｓ１オフ）
これらの一連の処理が実行されることである。
【００７１】
また、音声記録の終了は、ステップＳ２１１で行われ、この音声記録終了の条件となる処理（トリガー）は、
（ｃ）ステップＳ２０８のシャッター全押し実行（Ｓ２オン）
（ｄ）ステップＳ２１０のシャッター全押し解除（Ｓ２オフ）
これらの一連の処理が実行されることである。
【００７２】
すなわち、シャッターの半押しと解除を連続操作として実行することで、音声記録の開始を自由に設定でき、また、シャッターの全押しと解除を連続操作として実効することで、音声記録の終了を自由に設定できる。その結果、その他の処理、すなわち画像撮影や、ＡＥ／ＡＦ処理の処理タイミングに依存することなく、音声記録の開始、終了を制御することが可能となる。
【００７３】
なお、音声記録の終了は、最終的には、ステップＳ２１０のシャッター全押し解除（Ｓ２オフ）によって規定されるので、例えば、シャッターの全押し状態を継続させれば、任意時間、音声記録を延長させることができる。
【００７４】
本実施例の処理について、さらに理解しやすくするため、本実施例２のタイミングチャートを図５に示す。
図５には、
（ａ）シャッターの状態遷移
（ｂ）静止画撮影タイミング
（ｃ）音声記録タイミング
（ｄ）ＡＥ／ＡＦ実行タイミング
これらのタイミングを時間軸（ｔ）に沿って示している。
【００７５】
なお、先に第１実施例において説明した図３と同様、図５に示す（ａ）シャッターの状態遷移については、時間ｔ０〜ｔ５まで同じ時間間隔でシャッター状態が変化するように示しているが、この時間間隔はユーザの処理によって変化するものである。
【００７６】
各時間ｔ０〜ｔ５のシャッター状態に応じて以下のような制御が実行される。
時間：ｔ０
時間（ｔ０）は初期状態である。
【００７７】
時間：ｔ１
時間（ｔ１）は、ユーザがシャッターを半押しした状態である。この半押し処理をトリガーとしてＡＥ／ＡＦ処理が実行される。
この処理は、図４に示すフローチャートのステップＳ２０１〜Ｓ２０２の処理に対応する。
【００７８】
時間：ｔ２
時間（ｔ２）は、ユーザがシャッターを半押しから解放状態に戻した状態である。この半押しから全押しへの戻し処理をトリガーとして音声記録処理が開始される。
この処理は、図４に示すフローチャートのステップＳ２０３〜Ｓ２０４の処理に対応する。
【００７９】
時間：ｔ３
時間（ｔ３）は、ユーザが解放状態にあるシャッターを、再度、半押しした状態である。この２度目の半押し処理をトリガーとして、再度ＡＥ／ＡＦ処理が実行される。
この処理は、図４に示すフローチャートのステップＳ２０６〜Ｓ２０７の処理に対応する。
【００８０】
時間：ｔ４
時間（ｔ４）は、ユーザが半押し状態にあるシャッターを全押しする処理である。この全押し処理をトリガーとして画像撮影処理が実行される。
この処理は、図４に示すフローチャートのステップＳ２０８〜Ｓ２０９の処理に対応する。
【００８１】
時間：ｔ５
時間（ｔ５）は、ユーザが全押し状態にあるシャッターを解放状態にする処理である。この全押し状態から解放状態にする処理の実行をトリガーとして音声記録が終了する。
この処理は、図４に示すフローチャートのステップＳ２１０〜Ｓ２１１の処理に対応する。
【００８２】
なお、この図５では、図４に示すステップＳ２０５における閾値時間（ｔａ）の経過判定処理を省略して示している。
ステップＳ２０５の処理は、図５における時間ｔ２〜ｔ３の間で実行され、この時間ｔ２〜ｔ３の期間が既定閾値時間ｔａを超えた場合には、タイムアウトとなり、処理を終了する。この終了処理は、図４に示すフローのステップＳ２０５の判定処理でＹｅｓと判定される処理に対応する。
【００８３】
この図５を参照した説明からも理解されるように、
（ｂ）静止画撮影タイミング
（ｃ）音声記録タイミング
（ｄ）ＡＥ／ＡＦ実行タイミング
これらの３つの処理は、その実行タイミングを他の処理の実行タイミングに依存することなく制御可能である。
【００８４】
音声記録処理の開始タイミングは、シャッターの半押しと解除を連続操作として実行することで制御可能である。
また、音声記録処理の終了タイミングは、シャッターの全押し状態からの解放処理を行うタイミングで制御可能である。
このように、音声記録処理の開始タイミングと、終了タイミングは、その他の処理、すなわち画像撮影や、ＡＥ／ＡＦ処理の処理タイミングに依存することなく、自由なタイミングに設定でき、ユーザの希望に応じて自由に音声記録を開始させて、終了させることが可能となる。
【００８５】
［４．その他の実施例について］
次に、上述した実施例１，２と異なる実施例について説明する。
上述した実施例１では、音声記録開始の条件となる処理（トリガー）は、
（ａ）図２のフローのステップＳ１０１のシャッターの半押し実行（Ｓ１オン）
（ｂ）図２のフローのステップＳ１０３のシャッターの半押し解除（Ｓ１オフ）
これらの一連の処理が実行されることである。
また、音声記録の終了は、ステップＳ１１２で行われ、この音声記録終了の条件となる処理（トリガー）は、
（ｃ）図２のフローのステップＳ１１１のシャッターの半押し実行（Ｓ１オン）と解除（Ｓ１オフ）
この処理が実行されることである。
この実施例において、音声記録処理を終了させる場合には、音声記録処理の実行中に、シャッターの半押しと解除を行うことになる。
【００８６】
上述した実施例１の説明では、ステップＳ１１０において、撮影処理終了後、一定時間（ｔｂ）の間に半押しと解除が実行されない場合に、強制的に音声記録処理を終了する例として説明した。しかし、例えば、撮影処理終了後、一定時間（ｔｂ）以内に半押しを実行して半押し状態を維持することで、音声記録を任意の時間、継続させる設定としてもよい。
【００８７】
この処理により、前述した閾値時間（ｔｂ）経過後に、音声記録を終了させることなく、さらに長時間の音声記録を行うことが可能とてなる。なお、この処理を実行する場合には、メディアの容量やフォーマット上の規定に基づく最大記録可能時間の表示を行う設定としてもよい。
【００８８】
なお、この音声記録許容時間の表示処理は上述の実施例２にも適用可能である。
実施例２において、音声記録の終了タイミングは、最終的には図４に示すフローのステップＳ２１０のシャッター全押し解除（Ｓ２オフ）によって規定される。従って、例えば、シャッターの全押し状態を継続させれば、任意時間、音声記録を延長させることができる。この場合に、メディアの容量やフォーマット上の規定に基づく最大記録可能時間の表示を行う設定としてもよい。
【００８９】
［５．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【００９０】
なお、本明細書において開示した技術は、以下のような構成をとることができる。
（１）シャッターボタン操作情報に応じて音声記録の開始と終了を制御する制御部を有し、
前記制御部は、
音声記録の開始および終了要求に対応するそれぞれ独自のシャッターボタン操作情報を識別して、音声記録の開始および終了タイミングを決定する撮像装置。
（２）前記制御部は、自動露出制御（ＡＥ）または自動フォーカス制御（ＡＦ）の開始制御としてのシャッターボタン操作情報と異なるシャッターボタン操作情報を識別して音声記録の開始および終了タイミングを決定する前記（１）に記載の撮像装置。
【００９１】
（３）前記制御部は、音声記録の開始または終了要求に対応する独自のシャッターボタン操作情報として、シャッターボタンの半押し解除処理を識別して、音声記録の開始または終了タイミングを決定する前記（１）または（２）に記載の撮像装置。
（４）前記制御部は、音声記録の終了要求に対応する独自のシャッターボタン操作情報として、シャッターボタンの全押し解除処理を識別して、音声記録の終了タイミングを決定する前記（１）〜（３）いずれかに記載の撮像装置。
【００９２】
（５）前記制御部は、音声記録中に実行されるシャッターボタン半押し状態を識別して、該シャッターボタン半押し状態の継続期間は音声記録を継続する制御を行う前記（１）〜（４）いずれかに記載の撮像装置。
（６）前記制御部は、音声記録中に実行されるシャッターボタン全押し状態を識別して、該シャッターボタン全押し状態の継続期間は音声記録を継続する制御を行う前記（１）〜（５）いずれかに記載の撮像装置。
【００９３】
（７）前記制御部は、音声記録中に、音声記録の終了要求に対応する操作がない場合、予め設定した時間の経過に応じて音声記録を終了させる制御を行う前記（１）〜（６）いずれかに記載の撮像装置。
（８）前記制御部は、音声記録許容時間を表示部に表示する制御を行う前記（１）〜（７）いずれかに記載の撮像装置。
【００９４】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【００９５】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００９６】
以上、説明したように、本開示の一実施例の構成によれば、音声記録の開始と終了をユーザの希望するタイミングで実行することを可能とした撮像装置および撮像装置制御方法が実現される。
具体的には、ユーザのシャッター操作情報を入力し、入力したシャッター操作情報に応じて音声記録の開始と終了を制御する。音声記録の開始および終了要求に対応する独自のシャッター操作情報を識別して、音声記録の開始および終了タイミングを決定する。例えば自動露出制御（ＡＥ）または自動フォーカス制御（ＡＦ）の開始制御に利用されるシャッター操作情報と異なるシャッターの半押し解除処理や、全押し解除処理を識別して音声記録の開始および終了タイミングの制御を実行する。
【符号の説明】
【００９７】
１０１  レンズ
１０２  撮像素子
１０３  Ａ／Ｄ変換部
１０４  カメラ信号処理部
１０５  マイク
１０６  Ａ／Ｄ変換部
１０７  音声信号処理部
１０８  操作部
１１１  制御部（マイクロプロセッサ）
１１２  記録媒体
１２０  メモリ
１２１  画像エンコード部
１２２  音声エンコード部
１２３  画像デコード部
１２４  音声デコード部
１２５  表示部
１２６  Ｄ／Ａ変換部
１２７  ディスプレイ
１２８  音声信号処理部
１２９  Ｄ／Ａ変換部
１３０  スピーカ
１３１  クロック
【図１】
0005821257.tif 000002
【図２】
0005821257.tif 000003
【図３】
0005821257.tif 000004
【図４】
0005821257.tif 000005
【図５】
0005821257.tif 000006